(57)【特許請求の範囲】
【請求項１】
キーボードが上面に配置された電子機器の上筐体の上面に凹部を設け、前記凹部にポインティングデバイスを嵌め込んで載置し、前記上筐体の上面を覆うように配置されるパームレスト部材に前記ポインティングデバイスを露出する開口を設けるとともにリブによって形成された凹部を設け、前記パームレスト部材の凹部に弾性体からなる口形状の防水シール材を取り付け、前記上筐体の上にパームレスト部材をそのパームレスト部材の開口部の近傍でネジにより締結することにより、パームレスト部材に取り付けられた上記口形状の防水シール材によってポインティングデバイスの周囲を前記上筐体の凹部載置面に押し付け密着させたことを特徴とする携帯型電子機器。
【発明の詳細な説明】
【０００１】
【発明の属する技術分野】
本発明はノートパソコンのような携帯型電子機器に関し、詳しくは、小雨程度の環境下で使用するフィールドサービス等に対応した耐防水性を向上させた携帯型電子機器に関するものである。
【０００２】
【従来の技術】
近年、ノートパソコンのような携帯型電子機器において、フィールドサービス等で小雨程度の環境下でも使用を可能とする要望が増加してきた。このため、上方からの雨水などを電子機器内部に漏水させないよう、特に電子機器の上面に配置されるキーボードやポインティングデバイスなどの手動入力部などに防水対策のための構造がとられている。
【０００３】
以下、従来の携帯型電子機器について図を用いて説明する。
【０００４】
図３は従来の携帯型電子機器であるノートパソコンのポインティングデバイス部分の構成図で、図３（ａ）は外観斜視図、図３（ｂ）は断面図である。図において、１１は上筐体、１２は下筐体、１３は上筐体１１と下筐体１２とを締結するためのネジである。１４は平面状のポインティングデバイスで、上筐体１１のパームレスト部１１ａに配置される。１５は弾性材で形成された防水シール、１６はポインティングデバイス１４を取り付けるためのポインティングデバイス取付金具である。ポインティングデバイス取付金具１６もネジ１７により上筐体１１にネジ止めされる。また、１８はキーボードであり、上筐体１１上で、ポインティングデバイスの後方に配置されている。
【０００５】
以上のように構成された従来の携帯型電子機器の防水構造について説明する。キーボード１８は上筐体１１の上面に載置され、ネジ(図示せず)により、下筐体１２の下からネジ止めされており、キーボード１８と本体内部の電気回路基板とを接続するケーブルが通る部分のみに防水パッキンが取り付けられている(以上の構成は図示していない)。また、ポインティングデバイス１４はポインティングデバイス取付金具１６をネジ１７で上筐体１１にネジ止めすることにより、上筐体１１と取付金具１６との間に挟みこみ、そして、このポインティングデバイス１４とともに挟みこまれた防水シール１５によって防水される。
【０００６】
【発明が解決しようとする課題】
しかし、上記従来の携帯型電子機器では、ポインティングデバイスを、ポインティングデバイス取付金具をネジ止めすることで挟みこんでいるため、ポインティングデバイスを繰り返し押えることにより上筐体と防水シールとの間に隙間ができやすく、防水不良の原因ともなっていた。
【０００７】
本発明は、上記従来の課題を解決するもので、簡単な構成で、容易に組立てができ、防水性を向上させることのできる携帯型電子機器を提供することを目的とする。
【０００８】
【課題を解決するための手段】
上記課題を解決するために、本発明の電子機器は、ポインティングデバイスを電子機器の上筐体の上面に設けた凹部に載置し、さらにそれを上から覆うように配置されるパームレスト部材にポインティングデバイスを露出する開口を設けるとともにリブによって形成された凹部を設け、前記パームレスト部材の凹部に弾性体からなる口形状の防水シール材を取り付け、前記上筐体の上にパームレスト部材をそのパームレスト部材の開口部の近傍でネジにより締結することにより、パームレスト部材に取り付けられた前記口形状の防水シール材によってポインティングデバイスの周囲を前記上筐体の凹部載置面に押し付け密着させるようにしたものである。
【０００９】
上記構成とすることにより、携帯型電子機器の上面より小雨程度の水がポインティングデバイス部分に多少降注いでも、パームレスト部材と上筐体との間に配置されているポインティングデバイスは防水シール材により上筐体に押し付けられ密閉されるため、雨水などが浸入しないという効果を得ることができる。そしてポインティングデバイスを押えても上筐体の凹部載置面により下には移動せず、したがって、ポインティングデバイスを繰り返し押えても隙間ができることはなく、防水性能が落ちることがないものである。
また、ポインティングデバイスの位置決めは上筐体の上面に設けた凹部に嵌め込むだけで極めて簡単であるため、組み立てが容易であり、さらに、パームレスト部材を樹脂などの材料とすることにより、電子機器筐体が金属などの熱伝導性材料であった場合にパームレストの感触がよくなるとともに、電子機器内部から放熱された熱がパームレストに伝熱され低温やけどなどを起こす恐れがなくなるという効果も得られる。
【００１０】
【発明の実施の形態】
本発明は、電子機器の上筐体の上面に、キーボードとポインティングデバイスが配置され、かつ、前記ポインティングデバイスを露出させる開口を有し前記上筐体を上から覆うように配置されるパームレスト部材を備えた携帯型電子機器に関する。
【００１１】
以下、本発明の実施の形態について、図を用いて説明する。
【００１２】
（実施の形態１）
図１は本発明の一実施の形態の携帯型電子機器であるノートパソコンのポインティングデバイス部分の構成図で、図１（ａ）は外観斜視図、図１（ｂ）は断面図である。また、図２はパームレスト部材の裏面図である。図において、１は上筐体で下筐体(図示せず)とネジにより締結される。２は矩形平面形状のポインティングデバイスで、上筐体１の前部に設けられた凹部１ａに載置される。３はパームレスト部材で、ポインティングデバイス２を露出するための開口部３ａがパームレスト部３ｂに設けられている。パームレスト部材３は端部の複数箇所に爪部３ｃが設けられ、上筐体１の対向する位置に設けられた溝部１ｂにそれぞれ引っ掛けられるとともに、開口部３ａの近傍に設けられたボス３ｄをネジ４により上筐体１に締結することによって取り付けられる。パームレスト部材３には、弾性材で形成されたロ形状のシール材５がリブ３ｅで形成された凹部に圧入されている。また、６はキーボードであり、ポインティングデバイス２の後方に配置されている。
【００１３】
以上のように構成された本発明の携帯型電子機器の防水構造について説明する。
【００１４】
キーボード６は従来例と同様、上筐体１の上面に載置され、ネジ(図示せず)により、下筐体の下からネジ止めされており、キーボード６と本体内部の電気回路基板とを接続するケーブルが通る部分のみに防水パッキンが取り付けられている(以上の構成は図示していない)。そして、ポインティングデバイス２は上筐体１の前部に設けられた凹部１ａに載置され、凹部１ａに嵌め込まれることにより位置決めされる。その上からパームレスト部材３を覆うように上筐体１に取り付けることにより、パームレスト部材３に嵌め込まれたシール材５がポインティングデバイスを押え、上筐体１に密着させる。これにより、ポインティングデバイス２が載置された凹部１ａから雨水などの浸入は防止される。
【００１５】
このように、パームレスト部材を取り付けることにより、手を載せたときの感触をよくするというパームレストの機能だけでなく、ポインティングデバイスの保持も兼ねさせることができる。そして、上筐体１に設けた凹部１ａに直接ポインティングデバイスが載置されるため、ポインティングデバイスを押えても凹部の載置面により下には移動せず防水性能が落ちることはない。
【００１６】
また、ポインティングデバイスは上筐体の凹部に載置するだけで位置決めが可能で、パームレスト部材にシール材を保持した状態で上筐体を覆うように取り付けることができ、さらに上筐体への固定はポインティングデバイスの外周近傍のネジの締結でもって、防水性をも同時に確立できるものである。
【００１７】
また、パームレスト部材を樹脂などの材料とすることにより、パームレストの感触がよくなるとともに、電子機器筐体が金属などの熱伝導性材料であった場合に、電子機器内部から放熱された熱がパームレストに伝熱され低温やけどなどを起こす恐れがなくなる。
【００１８】
また、パームレスト部材をキーボードの周囲にまで拡張しキーボードも同時に押えるようにすれば、ネジによるキーボードの筐体への締結を不用にすることができる。
【００１９】
【発明の効果】
以上のように本発明によれば、携帯型電子機器の上面より小雨程度の水がポインティングデバイス部分に降注いでも、パームレスト部材と上筐体との間に配置されているポインティングデバイスの周囲は防水シール材によりその上筐体に押し付けられ密閉されるため、雨水などが内部に浸入しないという効果を得ることができる。そして、ポインティングデバイスを押えても上筐体の凹部載置面により下には移動せず、したがって、ポインティングデバイスを繰り返し押えても隙間ができることはなく、防水性能が落ちることがないものである。
また、ポインティングデバイスの位置決めは、これを上筐体の上面に設けた凹部に嵌め込むだけであるため、極めて簡単であり、組み立てが容易であるという有益なものである。
【図面の簡単な説明】
【図１】  本発明の一実施の形態の携帯型電子機器のポインティングデバイス部分の構成図
【図２】  本発明の一実施の形態の携帯型電子機器のパームレスト部材の裏面図
【図３】  従来の携帯型電子機器のポインティングデバイス部分の構成図
【符号の説明】
１  上筐体
１ａ  凹部
２  ポインティングデバイス
３  パームレスト部材
３ｃ  爪部
５  シール材
６  キーボード
【図１】
0004218158.tif 000002
【図２】
0004218158.tif 000003
【図３】
0004218158.tif 000004